(57)【特許請求の範囲】
【請求項１】
爪に接着剤を塗布した後、該接着剤の上面に繊維を付着させることにより繊維層部を形成し、該繊維層部の上面に接着剤を塗布した後、該接着剤の上面に繊維を付着させることにより繊維層部を形成し、前記繊維層部への接着剤の塗布と、該接着剤への繊維の付着による繊維層部の形成を繰り返すことによって、複数層の繊維層部を形成し、少なくとも最上部の繊維層部は、接着剤の上面に繊維を部分的に付着させることにより起毛部として形成して爪を装飾することを特徴とする爪の装飾方法。
【発明の詳細な説明】
【技術分野】
【０００１】
本発明は爪の装飾方法に関する。
【背景技術】
【０００２】
一般に、爪の装飾方法としては、マニキュア等の化粧品を塗布して装飾する方法が行われている。このようなマニキュア等を塗布する装飾方法では、単に所望の色のネイルエナメルを塗布する等、簡単な作業の場合は、一般の消費者でも行うことができるが、複雑な模様を施すような場合はネイルサロン等での専門家の熟練した技術が必要となり、一般の消費者が作業を行うには限界がある。
【０００３】
そこで、近年では、爪の表面に貼着することで、爪の装飾を行うことができるネイルアートシートと称されるシートが開発されており、このようなネイルアートシートに関する技術として、たとえば下記特許文献１、２のような特許出願がなされている。このようなネイルアートシートには、予め複雑な模様等も施すことが可能であるため、消費者はそのようなネイルアートシートを購入して貼着するだけで、種々の模様の装飾を施すことができる。しかし、このようなネイルアートシートは、マニキュア等を塗布する場合と同様に、爪を平面的に装飾するものであり、立体的な装飾を施すことはできない。
【０００４】
そこで、立体的に爪を装飾する方法も提案されており、そのような立体的な装飾に関する技術として、たとえば下記特許文献３、４のような特許出願がなされている。この特許文献３、４に記載された技術は、いずれも人工爪に宝石等を取り付ける技術である。しかし、このような人工爪に宝石等を取り付ける装飾方法では、硬い質感のものしか得られず、柔らかい質感のものは得られない。
【０００５】
一方、爪の装飾以外の分野における装飾の技術であって柔らかい質感を現出させる製品を扱うものとして、たとえばアパレル業界ではファーファッションと称されるものがある。ファーとは、哺乳動物の被毛のことであるが、毛皮や毛皮製品を含む意味の用語としても用いられている。
【０００６】
このようなファーファッションの製品としては、疑似の素材によって真正の毛皮を模したコートやベスト等の被服の他、ブーツの開口部分に疑似の素材を取り付けて毛皮調の起毛状の質感を現出させたたような製品もある。
【０００７】
そして、近年では、このようなファーファッションの製品のような毛皮調の起毛状の質感を現出させることを、たとえばアクセサリー製品について行うことも試みられている。本発明者等は、このようなファーファッションの製品或いはアクセサリー製品等においてなされている毛皮調の起毛状の質感を現出させることを、爪の装飾に適用させることに着眼した。
【先行技術文献】
【特許文献】
【０００８】
【特許文献１】特開２００９−１１７６３号公報
【特許文献２】特開２００８−３６２００号公報
【特許文献３】特開２０１１−１３０９３０号公報
【特許文献４】特開２０１１−１１５５６５号公報
【発明の概要】
【発明が解決しようとする課題】
【０００９】
本発明は、上記従来の爪の立体的な装飾方法においては、人工爪に宝石等を取り付ける等によって硬い質感のものしか得られていなかった点に鑑み、柔らかい質感の装飾をなすべく、ファーファッションの製品等においてなされているような毛皮調の起毛状の質感を現出させることを可能とする爪の装飾方法を提供することを課題とする。
【課題を解決するための手段】
【００１０】
本発明は、このような課題を解決するためになされたもので、爪に接着剤を塗布した後、該接着剤の上面に繊維を部分的に付着させることにより、該繊維によって起毛部を形成して爪を装飾することを特徴とする爪の装飾方法を提供するものである。
【００１１】
より詳しくは、本発明は、爪に接着剤を塗布した後、該接着剤の上面に繊維を付着させることにより繊維層部を形成し、該繊維層部の上面に接着剤を塗布した後、該接着剤の上面に繊維を付着させることにより繊維層部を形成し、前記繊維層部への接着剤の塗布と、該接着剤への繊維の付着による繊維層部の形成を繰り返すことによって、複数層の繊維層部を形成し、少なくとも最上部の繊維層部は、接着剤の上面に繊維を部分的に付着させることにより起毛部として形成して爪を装飾することを特徴とする爪の装飾方法を提供するものである。
【発明の効果】
【００１３】
本発明は、上述のように、爪に接着剤を塗布した後、該接着剤の上面に繊維を部分的に付着させることにより、該繊維によって起毛部を形成して爪を装飾する方法であるため、そのような繊維によって形成された起毛部によって、ファーファッションの製品等においてなされているような毛皮調の起毛状の質感を爪の表面に現出させることができ、従来の爪の立体的な装飾方法では得られていなかった柔らかい質感の立体的な装飾を爪の表面になすことが可能となった。
【図面の簡単な説明】
【００１４】
【図１】接着剤を収容する容器の正面図。
【図２】繊維を収容する容器の開蓋状態の斜視図。
【図３】爪に接着剤を塗布する工程の断面図。
【図４】爪に接着剤が塗布された状態を示す断面図。
【図５】接着剤が塗布された爪を容器内の繊維に当接させる工程の斜視図。
【図６】接着剤の上面に繊維を付着させて繊維層部を１層形成する工程の断面図。
【図７】接着剤の塗布と繊維の付着を繰り返して繊維層部を３層形成する工程の断面図。
【図８】爪の擬似サンプルに起毛部を形成した状態を示す写真。
【図９】爪の擬似サンプルに起毛部を形成した状態を示す写真。
【図１０】爪の擬似サンプルに起毛部を形成した状態を示す写真。
【図１１】爪の擬似サンプルに起毛部を形成した状態を示す写真。
【図１２】爪の擬似サンプルに起毛部を形成した状態を示す写真。
【図１３】爪の擬似サンプルに起毛部を形成した状態を示す写真。
【図１４】爪の擬似サンプルに起毛部を形成した状態を示す写真。
【図１５】爪の擬似サンプルに起毛部を形成した状態を示す写真。
【図１６】爪の擬似サンプルに起毛部を形成した状態を示す写真。
【図１７】爪の擬似サンプルに起毛部を形成した状態を示す写真。
【発明を実施するための形態】
【００１５】
以下、本発明の実施形態について説明する。本発明の爪の装飾方法は、上述のように、爪に接着剤を塗布した後、該接着剤の上面に繊維を部分的に付着させることにより、該繊維によって起毛部を形成して爪を装飾する方法である。「部分的に付着させる」とは、繊維の全体が接着剤に埋没するように付着されて、そもそも起毛状態にならないような場合を除くことを意味する。また、多数の繊維が存在している状態で、一部の繊維についてはそれぞれの全体が接着剤に付着されていたとしても、残りの繊維についてはそれぞれが部分的に付着されていて起毛部が形成されていればよい。
【００１６】
本発明は、主として生体の爪、すなわち生爪に適用されるが、人工爪に適用することも可能である。人工爪としては、生爪に取り付ける付け爪のようなものを用いることができる。
【００１７】
本発明に用いる接着剤は、爪に塗着可能で、繊維を爪の表面に接着させうるものであることが必要である。この観点から、一般に爪に塗着されて被膜を形成しうるネイルエナメルの被膜形成剤のようなものを好適に使用することができる。このような被膜形成剤としては、たとえばニトロセルロース、フタル酸系アルキッド樹脂、トルエンスルホンアミド樹脂、アクリル酸・アルキル共重合樹脂、安息香酸ショ糖エステル、アクリル酸アルキル・スチレン共重合樹脂、シリコーン樹脂、トルエンスルホンアミドエポキシ樹脂等が例示される。これらのうち、特にニトロセルロースを好適に使用することができる。
【００１８】
また接着剤には、可塑剤を含有させることができる。可塑剤としては、たとえばクエン酸アセチルトリブチル等のクエン酸エステル系化合物、カンフル等が例示される。これらのうち、特にクエン酸アセチルトリブチルを好適に使用できる。
【００１９】
さらに接着剤には、溶剤を含有させることができる。溶剤としては、たとえば酢酸エチル、酢酸ブチル等のエステル類、エーテル類、トルエン、キシレン等の非極性溶媒、ハロゲン化炭化水素類、アルコール類、水等が例示される。
【００２０】
被膜形成剤、可塑剤、溶剤等は、上記のようにネイルエナメルの含有成分としても用いられているものであり、そのような被膜形成剤、可塑剤、溶剤等を用いることで、従来の化粧品に利用されている素材を利用して装飾を行うことができるので、装飾を行うための材料の準備が煩雑になることもなく、また装飾のためのコストも高くつくことがない。
【００２１】
接着剤は、爪表面に略均一に塗布することができ、塗布した後に適度な厚みを有し得る程度の粘度を有するものであることが好ましい。また適度な固化速度を有する程度の粘度を有するものであることが好ましい。粘度が低すぎると、接着剤の膜厚が薄くなり、繊維の付着量が少なくなるおそれがある。また接着剤が早く固化し、十分な付着力が得られない。一方、粘度が高すぎると、接着剤の膜厚が厚くなりすぎ、固化速度が遅くなるおそれがある。また接着剤の伸びが悪くなり、繊維を均一に付着するのが難しくなるおそれがある。これらの観点から、接着剤の粘度は４００〜１１００ｍＰａ・ｓ（Ｂ型粘度計、測定温度２５℃）であることが好ましい。
【００２２】
繊維としては、たとえばポリアミド繊維、ポリプロピレン繊維、ポリエチレン繊維、ポリエステル繊維、レーヨン繊維、絹、麻等を用いることができる。特にポリアミド繊維は取り扱いが容易であり、好適に使用することができる。繊維は、長さが０．２ｍｍ以上、３ｍｍ以下であることが好ましい。３ｍｍを超えると、繊維が爪に均一に付着せず、見栄えが悪くなるおそれがあるからである。一方、０．２ｍｍ未満であると、起毛状態が不良となるおそれがあるからである。
【００２３】
また繊維の太さは、１〜５０ｄＴ（デシテックス）であることが好ましい。１ｄＴ未満になると、繊維が団子状に固まり易く、見栄えが悪くなるおそれがあるからである。また５０ｄＴを超えると、表面の均質感が損なわれ、見栄えが悪くなるおそれがあるからである。さらに繊維の形状は直線状が好ましい。繊維が湾曲又は屈曲していると、繊維の分散が悪く、仕上げがまだらになるおそれがあるからである。また、繊維には予め着色することができる。着色することで、所望の装飾効果を得ることができる。着色する色素としては、たとえば酸性染料等を用いることができる。
【００２４】
繊維としては、たとえば従来のマスカラ組成物に配合されている繊維を用いることができ、その場合には、従来の化粧品に利用されている素材を利用して装飾を行うことができるので、装飾を行うための材料の準備が煩雑になることもなく、また装飾のためのコストも高くつくことがない。
【００２５】
起毛部の上面には、樹脂を含有した仕上げ用のコート液を塗布することも可能である。このようなコート液を塗布することで、起毛部の汚れ防止効果、防水効果が奏されることとなる。
【００２６】
本発明においては、爪に接着剤を塗布した後、該接着剤の上面に繊維を部分的に付着させることで起毛部が形成される。この場合、たとえば繊維を予め容器に収容し、接着剤を塗布した爪を容器内の繊維に当接させることで、容器内の繊維は接着剤を介して爪に付着されることとなる。付着量が多すぎた場合には、繊維が収容されていない容器の内周面等で擦り付けること等によって、余分な繊維を払い落とすことができる。また、スパチュラを用いて払い落とすこともできる。
【００２７】
また他の側面において、本発明の爪の装飾方法は、爪に接着剤を塗布した後、該接着剤の上面に繊維を付着させることにより繊維層部を形成し、該繊維層部の上面に接着剤を塗布した後、該接着剤の上面に繊維を付着させることにより繊維層部を形成し、前記繊維層部への接着剤の塗布と、該接着剤への繊維の付着による繊維層部の形成を繰り返すことによって、複数層の繊維層部を形成し、少なくとも最上部の繊維層部は、接着剤の上面に繊維を部分的に付着させることにより起毛部として形成して爪を装飾する方法である。
【００２８】
上記のような接着剤の塗布作業と繊維層部の形成作業をたとえば２〜３回繰り返すと、最上部の起毛部によって起毛した毛皮のような質感を好適に現出させることができる。また、このような作業を５〜１０回繰り返すと、複数層の繊維層部で形成される全体が盛り上がったような状態となり、最上部の起毛部により特異な質感を現出させることができる。
【００２９】
尚、最上部の繊維層部は、その下側の繊維層部の全部の面積を占めるように接着される必要は必ずしもなく、一部の面積を占めるように接着することも可能である。たとえば約半分の面積を占めるように接着することが可能である。また下側の繊維層部より小さい複数の繊維層部を、該下側の繊維層部に接着することによって最上部に複数の繊維層部を形成することも可能である。このように最上部の繊維層部が、その下側の繊維層部の一部の面積を占めるように接着する場合には、その下側の繊維層部の表面も接着剤に覆われずに露出する状態となるため、当該下側の繊維層部の露出する部分における繊維は、当該下側の繊維層部の下側の接着剤に部分的に接着されることとなる。従って、この場合には、最上部の繊維層部が起毛部として形成されるのみならず、その下側の繊維層部の一部も起毛部として形成されることになる。
【００３０】
さらに、本発明の爪の装飾用キットは、爪に塗布する接着剤と、該接着剤の上面に部分的に付着させる繊維とを具備するものである。接着剤や繊維は容器にそれぞれ別々に収容することが望ましい。本発明の爪の装飾用キットには、さらにリムーバやスパチュラを具備させることができる。リムーバは、上記接着剤や繊維を爪から除去するものである。またスパチュラは、接着剤を介して爪に付着した繊維を整えるために用いるものである。リムーバとしては、たとえばアセトンを主成分としたものを用いることができる。
【００３１】
以下、本発明のより具体的な実施形態について、図面に従って説明する。
【００３２】
（実施形態１）
一実施形態の爪の装飾方法に用いる爪の装飾用キットは、接着剤１と繊維２を具備するものである。接着剤１は、図１に示すように直方体形の容器３に収容されている。容器３の開口部４には、塗布具５が装着されている。具体的には、同図に示すように、塗布具５の把手６が容器３の蓋としても機能するように開口部４の上部に位置し、塗布具５の刷毛部７は容器３の内部に臨出するように、塗布具５が装着されている。
【００３３】
また繊維２は、図２に示すように円形の容器８に収容されている。この容器８は、同図に示すように、略碗形の容器本体９と、該容器本体９を開閉自在とする蓋体１０とで構成されている。
【００３４】
一実施形態の爪の装飾用キットには、図示はしないが、上記接着剤１と繊維２以外に、リムーバとスパチュラが具備されている。リムーバは、上記接着剤や繊維を爪から除去するものであり、スパチュラは、接着剤を介して爪に付着した繊維を整えるために用いるものである。
【００３５】
次に、上記のような爪の装飾用キットを用いて爪の装飾を行う爪の装飾方法の実施形態について説明する。
【００３６】
先ず、接着剤１が収容された容器３から塗布具５を抜き取り、把手６を把持しつつ図３に示すように塗布具５の刷毛部７を爪１１に接触させる。容器３から抜き取る前には刷毛部７は容器３内に臨出しており、該容器３内に収容された接着剤１に浸漬されていたため、塗布具５を抜き取って刷毛部７を爪１１に接触させることで、図４に示すように、刷毛部７に含浸されていた接着剤１がそのまま爪１１に塗布されて付着することとなる。
【００３７】
次に、図５に示すように、接着剤１が塗布された爪１１を、容器８内の繊維２に当接させる。これによって、接着剤１を介して繊維２が爪１１に付着することとなり、図６に示すように、その繊維２からなる繊維層部１２が形成されることとなる。尚、上記のように接着剤１が塗布された爪１１を容器８内の繊維２に当接させる以外に、たとえば繊維２を接着剤１の上面にふりかけることによって繊維２を爪１１に付着させることもできる。
【００３８】
次に、その繊維層部１２の上面に接着剤１を塗布し、接着剤１が塗布された繊維層部１２を、容器８内の繊維２に当接させる。これによって、接着剤１を介して新たに繊維２が繊維層部１２に付着することとなり、その繊維２からなる繊維層部１２が新たに形成されることとなる。すなわち、すでに形成されていた繊維層部１２の上面に新たに繊維層部１２が形成されるので、爪１１の上面に２層の繊維層部１２が形成されることとなる。
【００３９】
このような接着剤１の塗布作業と、繊維２の付着による繊維層部１２の形成作業をもう１回繰り返すことで、図７に示すように、計３層の繊維層部１２が爪１１の上面に形成されることとなる。そして、最上部の繊維層部１２は、その上面に接着剤１が塗布されることがないので、下面側の接着剤に部分的に付着されて起毛部１３として形成されることとなる。最上部の繊維層部１２である起毛部１３の繊維２は、スパチュラを用いて整えられる。
【００４０】
さらに、樹脂を含有した仕上げ用のコート液を最上部の繊維層部１２である起毛部１３の上面に吹き付けることによってコーティングされることとなる。このようなコーティングを施すことで、起毛部１３の汚れ防止効果、防水効果が良好となる。
【００４１】
本実施形態では、上記のように繊維２からなる繊維層部１２が爪１１の上面に３層形成され、その最上部の繊維層部１２が起毛部１３として形成されることになるので、毛皮のような柔らかい質感が爪の表面に現出されることとなり、従来にはない斬新な爪の装飾方法を提供することが可能となった。
【００４２】
尚、上記のような繊維２からなる繊維層部１２や接着剤１を爪１１から除去する場合には、リムーバを用いることによって容易に除去することができる。
【００４３】
（その他の実施形態）
尚、上記実施形態１では、繊維層部１２を３層形成する場合について説明したが、積層される繊維層部１２の数は上記実施形態に限定されるものではなく、１層若しくは２層、或いは４層以上とすることも可能である。
【００４４】
また上記実施形態１では、爪装飾用キットには、接着剤１と繊維２以外に、リムーバとスパチュラが具備されていたが、リムーバやスパチュラを爪装飾用キットに具備させることは、本発明に必須の条件ではない。
【実施例】
【００４５】
以下、本発明の実施例について説明する。
【００４６】
（実施例１）
本実施例では、太さ２２ｄｔｅｘ（デシテックス）、長さ２ｍｍのポリアミド繊維を用いた。接着剤としては、下記処方のものを用いた。
成分                        重量（％）
ニトロセルロース              ２２．０％
クエン酸アセチルトリブチル      ２．０％
カンファー                      ５．０％
酢酸エチル                    ２５．０％
酢酸ブチル                    ４６．０％
【００４７】
上記繊維及び接着剤を用い、図８に示すように起毛部を爪（爪の疑似サンプル）の上面に形成することができた。本実施例で得られた起毛部は、繊維の均等な起毛性と適度なコシを有するものであり、繊維が絡むことのない均一な分散性を有するものであり、繊維の毛玉（塊）状態がなく、ムラのないものであり、繊維にベタつきがなく払い落とせるものであり、耐水性が良く、起毛状態や形状が変化しないものであった。
【００４８】
（実施例２）
本実施例では、図９に示すように複数層の繊維層部を爪（爪の疑似サンプル）の上面に形成し、その最上部の繊維層部を起毛部として形成した。繊維及び接着剤としては上記実施例１と同じものを用いた。本実施例で得られた起毛部も、実施例１で得られたものと同様に、良好な性状を有するものであった。
【００４９】
（実施例３）
本実施例では、図１０に示すように爪（爪の疑似サンプル）の上面に１層目の起毛部を形成し、該１層目の起毛部の上面の約半分の面積の部分を占めるように２層目の起毛部を形成した。繊維及び接着剤としては、上記実施例１と同じものを用いた。本実施例で得られた起毛部も、実施例１で得られたものと同様に、良好な性状を有するものであった。
【００５０】
（実施例４）
本実施例では、図１１に示すように爪（爪の疑似サンプル）の上面に１層目の起毛部を形成し、該１層目の起毛部の上面に、略球状の複数の起毛部を形成した。繊維及び接着剤としては上記実施例１と同じものを用いた。本実施例で得られた起毛部も、実施例１で得られたものと同様に、良好な性状を有するものであった。
【００５１】
（実施例５）
本実施例では、図１２に示すように爪（爪の疑似サンプル）の上面に１層目の起毛部を形成し、該１層目の起毛部の上面に、略円盤状の複数の起毛部を形成した。繊維及び接着剤としては上記実施例１と同じものを用いた。本実施例で得られた起毛部も、実施例１で得られたものと同様に、良好な性状を有するものであった。
【００５２】
（実施例６）
本実施例では、太さ１ｄｔｅｘ（デシテックス）、長さ０．３ｍｍのポリアミド繊維を用いた。接着剤としては、上記実施例１と同じものを用いた。本実施例においても、図１３に示すように起毛部を爪（爪の疑似サンプル）の上面に形成することができた。ただし本実施例で得られた起毛部は、繊維の分散性が良く、毛玉状にはならないが、実施例１〜５ほどには起毛性が良好なものではなかった。
【００５３】
（実施例７）
本実施例では、太さ９．８ｄｔｅｘ（デシテックス）、長さ２ｍｍのポリアミド繊維を用いた。接着剤としては、上記実施例１と同じものを用いた。本実施例においては起毛部を爪（爪の疑似サンプル）の上面の全面に形成するのではなく、図１４に示すように爪（爪の疑似サンプル）の上面の一部に、螺旋状となるように起毛部を形成した。ただし本実施例で得られた起毛部は、起毛性は比較的良好であったが、繊維の分散性は実施例１〜５ほどには良好なものではなかった。
【００５４】
（実施例８）
本実施例では、太さ１７ｄｔｅｘ（デシテックス）、長さ２ｍｍのポリアミド繊維を用いた。接着剤としては、上記実施例１と同じものを用いた。本実施例においても起毛部を爪（爪の疑似サンプル）の上面の全面に形成するのではなく、図１５に示すように爪（爪の疑似サンプル）の上面の端部側の一部に起毛部を形成した。繊維は均一に分散され、繊維の毛玉の状態がなく、起毛性も比較的良好であり形状の変化もなく、耐水性も良好であった。ただし、これらの性状は、全体として実施例１〜５ほどには良好なものではなかった。
【００５５】
（実施例９）
本実施例も、上記実施例８と同様に太さ１７ｄｔｅｘ（デシテックス）、長さ２ｍｍのポリアミド繊維を用いた。接着剤としては、上記実施例１と同じものを用いた。本実施例においても起毛部を爪（爪の疑似サンプル）の上面の全面に形成するのではなく、図１６に示すように爪（爪の疑似サンプル）の上面の一部に複数の小さな起毛部を形成した。繊維は均一に分散され、繊維の毛玉の状態がなく、起毛性も比較的良好であり形状の変化もなく、耐水性も良好であった。ただし、これらの性状は、全体として実施例１〜５ほどには良好なものではなかった。
【００５６】
（実施例１０）
本実施例では、太さ１０ｄｔｅｘ（デシテックス）、長さ２ｍｍのポリプロピレン繊維を用いた。接着剤としては、上記実施例１と同じものを用いた。本実施例においては、図１７に示すように、起毛部を爪（爪の疑似サンプル）の上面の全面に形成した。全面に形成した点では上記実施例１〜６と同様である。起毛性は比較的良好であったが、繊維の分散性は実施例１〜５ほどには良好なものではなかった。
【符号の説明】
【００５７】
１  接着剤
２  繊維
１１  爪
１２  繊維層部
１３  起毛部
【図１】
0005504295.tif 000002
【図２】
0005504295.tif 000003
【図３】
0005504295.tif 000004
【図４】
0005504295.tif 000005
【図５】
0005504295.tif 000006
【図６】
0005504295.tif 000007
【図７】
0005504295.tif 000008
【図８】
0005504295.tif 000009
【図９】
0005504295.tif 000010
【図１０】
0005504295.tif 000011
【図１１】
0005504295.tif 000012
【図１２】
0005504295.tif 000013
【図１３】
0005504295.tif 000014
【図１４】
0005504295.tif 000015
【図１５】
0005504295.tif 000016
【図１６】
0005504295.tif 000017
【図１７】
0005504295.tif 000018